【手続補正書】
【提出日】平成17年5月2日(2005.5.2)
【手続補正１】
【補正対象書類名】明細書
【補正対象項目名】特許請求の範囲
【補正方法】変更
【補正の内容】
【特許請求の範囲】
【請求項１】  血液成分収集設備において血液成分収集ソフトグッズ目録を管理するシステムであって、
血液成分収集器械オペレータに対応するオペレータ識別子と、
血液成分ドナーから血液成分を収集するための血液成分収集器械と、
該血液成分収集器械に動作可能に接続され、血液成分プロセスの少なくとも一部に対する血液成分収集アプリケーションを実行するシステムコンピュータであって、血液成分収集ソフトグッズ目録を有するシステムデータベースとデータ通信する、システムコンピュータと、
読み取り装置を有しており、かつ、該オペレータ識別子を受け取り、該システムコンピュータに該オペレータ識別子を伝送し、血液成分ソフトグッズ識別子の個々の入力を受け取り、該血液成分ソフトグッズ識別子の目録を管理するための該システムデータベースに伝送するために、該システムコンピュータに動作可能に接続されているインターフェースと
を含む、システム。
【請求項２】  前記血液成分収集ソフトグッズは、血液成分収集キット、血液成分収集溶液、および血液成分収集輸送パックからなるグループから選択される、請求項１に記載のシステム。
【請求項３】  前記血液成分収集器械は、血液成分収集器械識別子をさらに含み、前記読み取り装置は、該血液成分収集器械の近くから該血液成分収集器械の入力を受け取り、前記該血液成分収集アプリケーションは、該血液成分収集器械識別子を血液成分ドナー識別子および該オペレータ識別子に関連付ける、請求項１に記載のシステム。    
【請求項４】  前記読み取り装置は、前記血液成分収集器械識別子、前記血液成分ドナー識別子および前記オペレータ識別子の別々の入力を、ほとんど同時に次々と、血液成分収集より前に、受け取る、請求項２に記載のシステム。
【請求項５】  血液成分ドナーに対応する血液成分ドナー識別子をさらに含み、該血液成分ドナー識別子は、メモリに該血液成分ドナー識別子を格納し、かつ、該血液成分ドナー識別子を前記血液成分収集ソフトグッズ識別子および前記血液収集器械識別子の少なくとも１つとを関連付けるシステムコンピュータに伝送される、請求項２に記載のシステム。
【請求項６】  前記血液成分収集器械を前記システムコンピュータに動作可能に接続しているシステム通信コンジットと、
該システムコンピュータと該血液成分収集器械との間の該通信コンジット上の通信を容易にするシステム通信プロトコルと
をさらに含む、請求項１に記載のシステム。
【請求項７】  前記システム通信プロトコルがイーサネット（Ｒ）である、請求項６に記載のシステム。    
【請求項８】  前記システム通信プロトコルがＴＣＰ／ＩＰである、請求項６に記載のシステム。    
【請求項９】  ネットワーク通信コンジットを介して前記システムコンピュータに動作可能に接続されるネットワークサーバと、
血液成分収集プロセスへのアクセスを容易にする該システムコンピュータに動作可能に接続されるウェブインターフェースであって、該システムコンピュータからデータを受け取る、ウェブインターフェースと、
をさらに含む、請求項６に記載のシステム。
【請求項１０】  前記システムコンピュータに動作可能に接続され、ウェブブラウザに動作可能に応答するウェブサーバをさらに含み、該システムコンピュータに格納された情報がアクセス可能である、請求項９に記載のシステム。
【請求項１１】  前記システムデータベースは、複数の異なるタイプのソフトグッズのそれぞれに対する個々の目録データをさらに含む、請求項１に記載のシステム。
【請求項１２】  前記複数の異なるタイプのソフトグッズは、血液成分収集キット、血液成分収集溶液、および血液成分収集輸送パックからなるグループから選択される、請求項１１に記載のシステム。
【請求項１３】  前記血液成分ソフトグッズ目録データが所定の値未満の値に変更されるとき、前記システムコンピュータが通知を生成する、請求項１に記載のシステム。    
【請求項１４】  前記通知は、前記血液成分ソフトグッズ識別子に関連付けられた前記血液成分ソフトグッズに対応する読み取り装置オプションを提供することを含み、該通知は、血液成分ソフトグッズ目録を再度ストックするために、遠隔ロケーションに伝送される、請求項１８に記載のシステム。
【請求項１５】  前記血液成分収集ソフトグッズ目録の少なくとも一部が検疫されていることを示す検疫フィールドを有する前記インターフェースをさらに含む、請求項１に記載のシステム。
【請求項１６】  前記検疫された血液成分収集ソフトグッズ目録は、血液成分収集キット、血液成分収集溶液および血液成分収集輸送パックとからなるグループから選択される、請求項１５に記載のシステム。
【請求項１７】  前記血液成分ソフトグッズ目録データが所定の値未満の値に変更されるとき、前記システムコンピュータは通知を生成する、請求項１５に記載のシステム。
【請求項１８】  前記通知は、前記血液成分ソフトグッズ識別子に関連付けられた前記血液成分ソフトグッズに対応する読み取り装置オプションを提供することを含み、該通知は、血液成分ソフトグッズ目録を再度ストックするために、遠隔ロケーションに伝送される、請求項１７に記載のシステム。
【請求項１９】  前記血液成分収集キットは、複数の血液成分収集ソフトグッズを含み、該血液成分収集キットは、血液成分容器、皮下注射針、血液成分サンプル容器およびラベルを含む、請求項１６に記載のシステム。
【請求項２０】  血液成分収集設備において血液成分収集ソフトグッズ目録を管理するための方法であって、
血液成分収集器械オペレータに対応するオペレータ識別子を受け取るステップと、
血液成分収集プロセスの少なくとも一部を実行するステップと、
血液成分収集ソフトグッズ目録を有するシステムデータベースにアクセスするステップと、
該オペレータ識別子を受け取り、システムコンピュータに該オペレータ識別子を伝送するステップと、
個々の血液成分収集ソフトグッズ識別子を受け取るステップと、
該血液成分収集ソフトグッズ識別子を該システムデータベースに伝送するステップと
を包含する、方法。
【請求項２１】  血液成分収集器械識別子を受け取るステップであって、該血液成分収集器械識別子が該血液成分収集器械の近くから受け取られる、ステップと、
前記血液成分収集器械識別子を該血液成分ドナー識別子および前記オペレータ識別子に関連付けるステップと
をさらに包含する、請求項２０に記載の方法。
【請求項２２】  血液成分収集ソフトグッズ識別子を受け取るステップをさらに包含し、該血液成分収集ソフトグッズ識別子が前記システムコンピュータに伝送され得、メモリに該血液成分収集ソフトグッズ識別子を格納し、該血液成分収集ソフトグッズ識別子を前記血液成分ドナー識別子および前記血液成分器械識別子の少なくとも１つとを関連付ける、請求項２０に記載の方法。
【請求項２３】  前記データベースシステムは、複数の異なるタイプのソフトグッズのそれぞれに対する個々の目録データを包含する、請求項２０に記載の方法。
【請求項２４】  前記血液成分ソフトグッズ目録データが所定値未満である値に変更されるとき、通知を生成するステップをさらに包含する、請求項２０に記載の方法。  
【請求項２５】  前記血液成分ソフトグッズ識別子に関連付けられた前記血液成分ソフトグッズに対応する読み取り装置オプションを提供するステップと、
血液成分ソフトグッズ目録を再度ストックするために、前記通知を遠隔アクセスサービスに伝送するステップと
をさらに包含する、請求項２４に記載の方法。
【請求項２６】  前記血液成分収集ソフトグッズ目録の少なくとも一部が検疫されていることを示すステップをさらに包含する、請求項２０に記載の方法。
【請求項２７】  前記検疫されたソフトグッズ識別を前記システムデータベースに通信するステップをさらに包含する、請求項２６に記載の方法。
【請求項２８】  前記検疫された血液成分収集ソフトグッズ目録は、血液成分収集キット、血液成分収集溶液および血液成分収集輸送パックからなるグループから選択される、請求項２６に記載の方法。
【請求項２９】  前記血液成分ソフトグッズ目録データが所定値未満である値に変更されるとき、通知を生成するステップをさらに包含する、請求項２７に記載の方法。
【請求項３０】  前記血液成分ソフトグッズ識別子に関連付けられた前記血液成分ソフトグッズに対応する読み取り装置オプションを提供するステップと、
血液成分ソフトグッズ目録を再度ストックするために、該読み取り装置オプションを遠隔ロケーションに伝送するステップと
をさらに包含する、請求項２９に記載の方法。